(57)【特許請求の範囲】
【請求項１】
空気入口と空気出口を有し、空気流に沿って、液滴を除去する液滴除去室と、気相汚染物を除去する脱臭・消毒室と、空気流発生用の空気供給ユニットを囲む、ハウジングからなるトイレシステムを消毒・脱臭する空気清浄装置であって、
前記液滴除去室は、空気流に沿って、反応性酸化種の放出用反応性酸化種発生器と、液滴除去用の液滴吸収フィルタを囲み、
前記脱臭・消毒室は、空気流に沿って、反応性酸化種放出用反応性酸化種発生器と、ダスト、細菌とウイルス除去用ダストフィルタと、気相汚染物の吸収性吸収フィルタとを囲み、
前記吸収された気相汚染物は、反応性酸化種により分解され、前記吸収性フィルタは更なる吸収のために再生される、空気清浄装置。
【請求項２】
１つ以上の空気入口が、尿と糞便から放出される、臭い、細菌とウイルスを含む空気汚染物の抽出のために、小便器又は便器に設置される、請求項１に記載の空気清浄装置。
【請求項３】
前記空気汚染物は液滴又は気相である、請求項２に記載の空気清浄装置。
【請求項４】
前記液滴の寸法は、１μｍ〜３ｍｍである、請求項３に記載の空気清浄装置。
【請求項５】
前記液滴除去室の形状は、長方形、正方形、または円筒形であり、前記室の材料は、金属、プラスチック、またはセラミックである、請求項１に記載の空気清浄装置。
【請求項６】
前記液滴除去室は水排出口を有する、請求項５に記載の空気清浄装置。
【請求項７】
前記液滴除去室内の反応性酸化種発生器は、以下に挙げる発生器：イオン発生器、荷電粒子発生器、オゾン発生器、過酸化物発生器、ラジカル発生器、反応性酸化ガス発生器および静電集塵機
のいずれか１つを含む、請求項１に記載の空気清浄装置。
【請求項８】
前記液滴吸収フィルタは、金属ネット、金属枠、ハニカム構造の金属枠、バッフル、スポンジ、多孔質セラミック、多孔質活性炭素、繊維又はセルロースである、請求項１に記載の空気清浄装置。
【請求項９】
前記液滴吸収フィルタの吸収性材料は、粉末又は顆粒状の脱臭・消毒要素で添着される、請求項８に記載の空気清浄装置。
【請求項１０】
前記液滴は、前記液滴吸収フィルタにより捕捉され、凝集して大きな液滴を形成する、請求項８に記載の空気清浄装置。
【請求項１１】
前記液滴吸収フィルタにより捕捉される前記大きな液滴は、反応性酸化種により脱臭・消毒される、請求項１０に記載の空気清浄装置。
【請求項１２】
前記液滴除去室が水排出口を有し；前記大きな液滴は前記水排出口を介して排出される、請求項１１に記載の空気清浄装置。
【請求項１３】
前記液滴吸収フィルタは、１０〜１００μｍの寸法の水スプレを発生させるために、水槽と接続される少なくとも１つのノズルからなるスクラバである、請求項１に記載の空気清浄装置。
【請求項１４】
前記水スプレが、空気流から液滴を遮断して、大きな液滴を形成する、請求項１３に記載の空気清浄装置。
【請求項１５】
大きな液滴は反応性酸化種により脱臭・消毒される、請求項１４に記載の空気清浄装置。
【請求項１６】
前記大きな液滴は、前記水排出口を介して排出される、請求項１５に記載の空気清浄装置。
【請求項１７】
前記水スプレは、オゾン、塩素と漂白溶液を含む消毒及び／又は脱臭剤と混合される、請求項１３に記載の空気清浄装置。
【請求項１８】
前記脱臭・消毒室の形状は、長方形、正方形、または円筒形であり、前記室の材料は、金属、プラスチックまたはセラミックである、請求項１に記載の空気清浄装置。
【請求項１９】
前記ダストフィルタは、ダスト、細菌とウイルスを捕捉し、これらは次に反応性酸化種により絶滅される、請求項１に記載の空気清浄装置。
【請求項２０】
前記吸収性フィルタは、含浸された吸収性材料を備える多孔質筐体からなる、請求項１に記載の空気清浄装置。
【請求項２１】
前記多孔質筐体は枠と被覆層からなる、請求項２０に記載の空気清浄装置。
【請求項２２】
前記吸収性材料の形状は、球形、円筒形、長方形、不規則な形、又は１〜１０ｍｍの小球又は顆粒状である、請求項２０に記載の空気清浄装置。
【請求項２３】
前記吸収性材料は、活性炭素、ゼオライト、金属酸化物、アルミナ、シリカ、又は上記吸収性材料の混合物である、請求項２２に記載の空気清浄装置。
【請求項２４】
前記気相汚染物は前記吸収性材料の細孔内に取り込まれる、請求項２３に記載の空気清浄装置。
【請求項２５】
反応性酸化種は、気相汚染物を無害生成物へ分解し、前記吸収性材料の細孔を再生する、請求項２４に記載の空気清浄装置。
【請求項２６】
前記吸収性材料は、リークを回避するため、過剰の反応性酸化種を分解する、請求項２３に記載の空気清浄装置。
【請求項２７】
前記処理された空気流は、前記空気出口を介して排出されるか、または更なる循環のため小便器又は便器へ再送される、請求項１に記載の空気清浄装置。
【請求項２８】
ａ）前記空気供給ユニットが空気流を発生させるために、スイッチをオンにするステップと、
ｂ）小便器又は便器からの液滴と空気が、前記空気入口を介して前記空気清浄装置へ抽出されるステップと、
ｃ）前記液滴除去室において、前記空気流からの液滴が前記液滴フィルタにより除去されるステップと、
ｄ）前記脱臭・消毒室において、前記空気流からの空気汚染物が除去されるステップと、
からなり、
前記処理された空気流は前記空気出口を介して排出されるか、または更なる循環のため、小便器又は便器へ再送される、請求項１に記載の空気清浄装置を利用することによりトイレシステムを消毒・脱臭する方法。
【発明の詳細な説明】
【技術分野】
【０００１】
本発明は、トイレ、小便器、便器、及び尿と糞便用の他の容器やホルダからの空気を脱臭・消毒する方法と装置に関する。特に、それは、二次汚染を起こさずに、トイレ内の臭い、細菌やウイルスの除去に有効である。
【背景技術】
【０００２】
トイレ内の悪臭は、尿と糞便から来ることが知られている。ＳＡＲＳや細菌などのウイルスは、このような排泄物から空気へ伝えられる。尿が小便器壁へ流れている場合、尿のしぶきや分散が起こり、次に小さい尿の液滴や蒸気が発生する。尿の液滴の一部は、小便器を離れ、空気中に浮遊する。さらに、この種の尿や糞便は、不快な臭いを起こし、トイレ環境を汚染する。さらに、液滴や空気は、常に、病気を伝染する臭い、細菌やウイルスの良き胆体である。それは特に伝染病棟のトイレにおける病気伝染への関心をより高める。
【０００３】
トイレにおける空気の脱臭と消毒に対しては、様々な方法が提案されてきたが、それらはそれぞれ自身の限界と欠点を有する。
【０００４】
例えば、米国特許第６，００３，１５７号と、第７，４６１，４１０号で開示される発明は、便器からの汚染空気を抽出し、それらを、空気ダクトを介して大気へ放出するために、換気装置を利用する。それにも拘らず、細菌やウイルスを含む汚染空気は、それを他のエリアへ移送するだけで、処理されないので、最終的には病気は伝染される。
【０００５】
他のシステムは、空気汚染が吸収性材料表面で吸収されるように、活性炭フィルタのような吸収性フィルタへ汚染空気を引き込むために、換気装置を利用する。しかし、吸収効率は、水滴や蒸気により低下する。吸収性フィルタは、高湿度や二次汚染に至る有機栄養素の存在により、細菌の成長や再生に適した環境とても作用することができる。
【０００６】
米国特許第５，９９１，９３４号と、第７，１６５，２７４号などのほとんどの特許は、主に気相汚染物を対象とするが、この感染問題における、さらに重要な役割を果たす水滴抽出では有効でない。
【０００７】
臭いを酸化するため、イオンを発生させるトイレシートが、米国特許第６６，７８５，９１２号により開示される。しかし、イオンと臭い間の酸化速度は低いと考えられている。さらに、過剰なイオンは人間にとって有害である。
【０００８】
従って、従来取り組まれていないニーズが、上記欠点と不完全さに取り組むための技術に存在する。
【先行技術文献】
【特許文献】
【０００９】
【特許文献１】米国特許第６，００３，１５７号
【特許文献２】米国特許第７，４６１，４１０号
【特許文献３】米国特許第５，９９１，９３４号
【特許文献４】米国特許第７，１６５，２７４号
【特許文献５】米国特許第６６，７８５，９１２号
【発明の概要】
【発明が解決しようとする課題】
【００１０】
本発明は、トイレ、小便器、便器、及び尿や糞便用の他の容器やホルダからの空気や液滴を脱臭・消毒する方法と空気清浄装置に関する。本発明は病院、商業建物、公衆トイレ、交換輸送及び住宅街などの施設に広く適用することができる。
【００１１】
本発明の一態様は、ハウジングであって、空気流からの液滴を除去する液滴除去室と、空気流内の空気汚染物を除去する脱臭・消毒室と、空気流発生のための空気供給ユニットと、を囲み、空気入口と空気出口を有する前記ハウジングからなる、空気清浄装置を提供することである。
【課題を解決するための手段】
【００１２】
本発明に関して、液滴や空気を空気入口を介してハウジング内へ抽出するための空気流の発生能力を有し、小便器とトイレ容器に設置される空気供給ユニットが設けられる。空気入口の位置、形状や寸法は、十分な空気抽出を達成し、汚染空気を拡散させずに捕捉するための負圧を発生させるように設計されている。これにより、処理された空気は、直接排出されるか、または再循環のために小便器又は便器へ再送される。付加的なブロワファンが、汚染空気のより良好な捕捉のために、小便身や便器の表面にエアーカーテンを形成するために利用される。
【００１３】
水排出口を有し、反応性酸化種（ＲＯＳ）発生器と液滴除去フィルタとを囲む、本発明の液滴除去室は、空気流中の液滴を除去するためにある。空気中の液滴は、吸収型及び／又はスクラバタイプの液滴除去フィルタにより遮断される。凝集した液滴は、水排出口を介して脱臭・消毒室から排出される。
【００１４】
反応性酸化種発生器、ダストフィルタ、及び吸収性フィルタを囲む、本発明の脱臭・消毒室は、気相汚染物を除去するためにある。ダストフィルタは、ダスト、空中浮遊細菌やウイルスを捕捉するために役立つ線維及びセルロース材料から作ることができる。吸収性フィルタは、それらを吸収性材料のマイクロ／ナノ細孔へ閉じ込めることにより、気相汚染物を除去する多孔性筐体及び吸収性材料からなる。反応性酸化種発生器は、ダストフィルタ上に捕捉された細菌やウイルスを根絶し、二次汚染を防止するために、反応性酸化種を放出する。さらに、ＲＯＳは、空気汚染物の更なる吸収のために、マイクロ／ナノ細孔の再生になる、水分子や二酸化炭素のような無害生成物へ気相汚染物を分解する。さらに、吸収性材料は、リークが防止される過剰ＲＯＳの分解に効果的である。ＵＶ光は、更なる消毒とＲＯＳ生成のためのシステムに設置することができる。処理された空気は、排出されるか、または更なる空気循環のため、小便器又は便器へ再送される。
【００１５】
本発明の別の態様は、本発明による空気清浄装置を採用することにより、トイレシステムを消毒・脱臭するため、空気清浄法を提供することであり、前記方法は以下のステップ、
【００１６】
ａ）空気流を発生させるため、空気供給ユニットのスイッチをオンにするステップ、
【００１７】
ｂ）小便器と便器から液滴と空気を、空気入口を介して空気清浄装置内へ抽出するステップ、
【００１８】
ｃ）液滴除去室で空気流からの液滴を液滴フィルタにより除去し、
【００１９】
ｄ）脱臭・消毒室で、空気流からの空気汚染物を除去するステップ、
【００２０】
ｅ）処理された空気は、空気出口を介して排出されるか、または更なる循環のため、小便器又は便器へ再送されるステップからなる。
【００２１】
本発明のこれらや他の態様は、その中の変更や改良が本発明の新規概念の精神と範囲から離れることなく行われるが、以下の図面と関連して行われる好適実施例の以下の記載から明らかになるだろう。
【図面の簡単な説明】
【００２２】
付属の図面は、本発明の１つ以上の実施例を図示し、記載とともに本発明の原理を説明するのに役立つ。可能な場合、同一参照番号は実施例の同一または類似の要素に言及するために、全図面を通して使用される。
【００２３】
【図１】本発明の一実施例による空気清浄装置の概略図である。
【図２】本発明の一実施例による小便器内の空気流を示す概略図である。
【図３】本発明の一実施例による吸収性液滴フィルタを備える液滴除去室の概略図である。
【図４】本発明の一実施例によるスクラバを備える液滴除去室の概略図である。
【図５】本発明の一実施例による脱臭・消毒室の概略図である。
【図６】本発明の一実施例による吸収性フィルタの概略図である。
【図７】本発明の一実施例による空気清浄装置の作動フローチャートである。
【発明を実施するための形態】
【００２４】
本発明は、その中の多くの改良と変更が当業者に明らかであるので、図示のみと意図される以下の例で、より詳細に記載される。本発明の様々な実施例が、ここで詳細に記載される。図面を参照して、類似番号は全図面を通して類似の構成要素を示す。ここの記載に使用されるように、以下の請求項を通して、“ａ”，“ａｎ”、および、“ｔｈｅ”の意味は、文脈が他を明確に指示しない限り、複数の参照を含む。また、ここの記載で使用されるように、及び以下の請求項を通して、“ｉｎ”の意味は、文脈が他を明確に指示しない限り、“ｉｎ”と“ｏｎ”を含む。
【００２５】
記載は、図１〜７の付属図面と関連して、本発明の実施例について行われる。この発明の目的に応じて、ここで具体化され、広く記載されるように、この発明は、一態様で、空気清浄装置に関する。
【００２６】
図１を参照して、本発明の一実施例による空気清浄装置が示される。本発明の空気清浄装置は、空気入口２と空気出口３を有するハウジング１を含む。ハウジング１は、液滴除去室４、脱臭・消毒室５及び空気供給ユニット６を囲む。空気供給ユニット６は、小便器、便器及びトイレから汚染空気と液滴を空気清浄装置へ抽出するため、空気流を発生させる。汚染空気は、空気入口２、液滴除去湿４、および脱臭・消毒室５を通過する。最後に、処理された空気は、出口３から排出されるか、または更なる空気循環のため、小便器へ再送される。
【００２７】
図２は、本発明に一実施例による、小便器内の空気流を示す概略図である。図２に示すように、入り口２は小便器の水平側面に設置される。本発明の別の実施例で、空気入口２は、小便器の垂直側面に設置される。本発明の更なる実施例で、空気入口２は小便器の垂直側面と水平側面の両方に設置される。ここで論ずる空気入口は１つ以上であり、又異なる寸法と形状であり、その種類は当業者に周知である。
【００２８】
人が小便をする場合、空気供給ユニット６は、スイッチをオンにし、汚染空気は空気入口２へ抽出される。負圧が空気流により小便器内を支配するので、液滴と汚染空気は広がらずに閉じ込められる。更に、ブロワファンは、エアーカーテンを形成するため、小便器表面上に空気流の層を発生させるために、小便器内に設置することができる。それは小便器からの空気汚染物のリークの防止能力を増加させる。空気流により装置へ抽出された液滴と汚染空気は、液滴除去室４へ入る。
【００２９】
図３は本発明の一実施例による吸収性液滴フィルタを備える液滴除去室の概略図である。図３に示すように、水排出口７を有する液滴除去室４は、ＲＯＳ発生器８と液滴フィルタ９を囲む。液滴除去室４の形状は、長方形、正方形、円筒形または他の適当な形状でよい。液滴除去室４の材料は、金属、セラミック、プラスチックまたは他の防水材料でよい。さらに、液滴除去室４も、防水被覆した木材または類似材料から作ることができ、その種類は当業者にはよく知られている。
【００３０】
空気流方向に沿って、ＲＯＳ発生機８は、液滴フィルタ９の前面に設置される。空気流内の液滴は、吸収タイプ及び／又はスクラバタイプの液滴フィルタ９により遮断される。ＲＯＳ発生器８により放出されるＲＯＳは、液滴フィルタ９上に捕捉された汚染液滴の脱臭・消毒のため、液滴フィルタ９方向への空気流により積極的に移送される。凝集液滴は、水排出口７を介して室から排出される。
【００３１】
図３は、吸収性液滴フィルタ９を備える液滴除去室４の構造を示す。吸収性液滴フィルタ９は、液滴除去室４内に設置される。すべての空気流は、リークせずに吸収性液滴フィルタ９を通過しなければならない。吸収性液滴フィルタ９は、多孔質構造と、高い水吸収能力を有する、金属ネット、金属枠、ハネカム構造の金属枠、バッフル、スポンジ、泡、多孔質セラミック、多孔質活性カーボン、繊維及びセルロースである。空気流からの液滴は、吸収性材料の細孔上で吸収され、大きな液滴を形成するように凝集して、これが次に水排出口７を介して排出される。吸収性液滴フィルタ９は、凝縮による液滴除去効率を上昇させるため、冷却装置により冷却することができる。
【００３２】
水排出を調節する弁が水排出口７に設置される。吸収性液滴フィルタ９の吸収性材料は、紛体又は顆粒状の要素を脱臭・消毒することで含浸する。一定時間の後、吸収性液滴フィルタ９は、更なる使用のために洗浄され、又は清潔なものと交換される。
【００３３】
図４は、スクラバを備える液滴除去室４の構造を示す。水槽１１へ接続されるノズル１０は、１０〜１００μｍの寸法の水スプレを発生させるために、液滴除去室４に設置される。弁は水スプレ放出を調節する水槽１１とノズル１０との間に設置される。汚染空気が液滴除去室４を通過する場合、ノズル１０は水スプレを放出する。空気流からの液滴は、空気中に浮遊するには重すぎ、最終的に液滴除去室４の底へ落下する、大きな液滴を形成するため、この水スプレで遮断される。次に、凝集液滴は水排出口７を介して排出される。水放出弁を調節する弁は、水排出口７に設置される。水層１１内の水は、脱臭・消毒能力を増強させるため、オゾン、塩素及び／又は漂白溶液のような脱臭・消毒剤と混合される。水排出口７を介して、凝集液滴は、清浄・殺菌するため、小便器かまたは更なる利用のため、水槽１１へ向けることができる。
【００３４】
本発明の別の実施例で、１つ以上の水槽と接続される複数のノズル１０が、各々１０〜１００μｍの寸法を有する複数の水スプレを発生させるために、液滴除去室４内に設置される。水放出を調節する弁は、水排出口７に設置される。
【００３５】
液滴は液滴除去室４で除去されるので、汚染空気は脱臭・消毒室５内へ供給される。図５に示すように、脱臭・消毒室５は、ＲＯＳ発生器１２、ダストフィルタ１３、及び吸収性フィルタ１４を囲む。脱臭・消毒室５の形状は、長方形、正方形、円筒形または他の適当な形状でよい、脱臭・消毒室５の材料は、金属、セラミック、プラスチック、または他の防水材料でよい。さらに、脱臭・消毒室５は、防水被覆処理した木材、または類似の材料から作ることもでき、その種類は当業者によく知られている。
【００３６】
空気流の方向に沿って、ＲＯＳ発生器１２はダクトフィルタ１３前面に設置される一方、吸収性フィルタ１４はダストフィルタ１３の後ろに設置される。空気流はすべてリークなしでフィルタを通過しなければならない。
【００３７】
繊維又はセルロース材料からなるダストフィルタ１３は、ダスト、細菌やウイルスを捕捉するために使用される。ダストフィルタ１３は、ＨＥＰＡ及び／又は静電フィルタである。
【００３８】
図６は本発明の一実施例による吸収性フィルタ１４構造を示す。多孔質筐体１５や吸収性材料１６からなる吸収性フィルタ１４は、気相汚染物を吸収するために利用される。吸収性材料１６は、少なくとも１つの被覆層１７と枠１８からなる多孔質筐体１５へ含浸される。被覆層１７の孔径は、吸収性材料１６の損失を防止するために、吸収性材料１６の直径より小さい一方、同時に、空気流の吸収性フィルタ１４への通過には十分大きい。被覆層１７の材料は、プラスチックネット、金属ネット、布、ＨＥＰＡ及び泡である。枠１８は、吸収性フィルタ１４のw形を形成し、吸収性フィルタ１４への機械的支持を提供する。枠１８の材料は、金属、紙、木材、プラスチック、または他の適当な材料でよい。
【００３９】
吸収性材料１６の形状は、球形、円筒形、長方形、不規則な形、または小球又は顆粒状でよい。吸収性材料１６の寸法は、１〜１０ｍｍの範囲である。吸収性材料１６は、活性炭素、ゼオライト、金属酸化物枠、アルミナ、シリカまたは前記吸収性材料の混合物である。トイレに通常見られる空気汚染物は、吸収性材料１６の孔径が効率的吸収のため、４〜２０オングストロームの範囲に調節されるように、４〜２０オングストロームの間の寸法であると知られていた。吸収性材料１６の特性は、両タイプでの空気汚染物の効率的吸収のため、疎水性または親水性または両方の物理的混合物である。遷移金属は、それらの触媒特性のため、空気汚染物の分解速度を向上させるように、吸収性材料１６の多孔質構造へ組み込むことができる。
【００４０】
ＲＯＳ発生器１２により放出されるＲＯＳは、空気汚染物の分解と消毒剤のため、吸収性フィルタ１４へ向かう空気流により積極的に移送される。ダストフィルタ１３へ供給される場合、ＲＯＳはダストフィルタ１３上に捕捉された細菌やウイルスを絶滅させ、こうして二次汚染を回避する。ＲＯＳは、吸収性材料１６のマイクロ／ナノ細孔内に取り込まれた気相汚染物を、水分子や二酸化炭素のような無害生成物へ分解する。水分子や二酸化炭素は、孔の中へ保持されるには小さすぎるので、それらは細孔から放出され、吸収性材料１６は再生される。従って、ダストフィルタ１３と吸収性フィルタ１４は、両方とも二次汚染を起こさずに、更なる吸収のために再生される。ＲＯＳ発生器は、イオン発生器、荷電粒子発生器、オゾン発生器、過酸化物発生器、水酸基などの基類発生器、反応性酸化ガス発生器、静電集塵機である。ＲＯＳは、陽イオン、陰イオン、荷電粒子、オゾン、過酸化物、水酸基などの基類、または他の反応性酸化ガスである。ＲＯＳは、静電集塵機やコロナ放電などの電気的方法、ＵＶなどの化学的及び光分解的方法により発生させることができる。過剰ＲＯＳは、リークを回避するため、吸収性フィルタ１４により容易に閉じ込められ、かつ分解される。ＲＯＳの選択と量は、空気汚染の性質と量により決定される。ＵＶ光放射器は、細菌やウイルスの絶滅のため、及び水酸基のようなＲＯＳの発生のため、消毒室５に設置することができる。
【００４１】
処理された空気は、空気出口３を介して直接排出されるか、または更なる循環のため、小便器又は便器へ再送されることができる。
【００４２】
空気清浄装置は、電子回路と赤外線センサにより制御される。電子回路は、空気供給ユニット６、ＲＯＳ発生器８、１２、および弁を制御する一方で、赤外線センサは切り替えシステムを制御する。ユーザが居る場合、センサはそれらを検出し、電子回路を起動し、自動的に装置をオンまたはオフにする。
【００４３】
図７は、本発明の一実施例による空気清浄装置の作動フローチャートである。本発明の方法は上で論じた空気清浄装置を利用することにより実施することができ、以下のステップからなる：
【００４４】
Ｓ１ステップでは、空気供給ユニットは、空気流を発生させるため、スイッチをオンにする。この空気流に、液滴や空気伝達臭、及び病気を伝染できる細菌やウイルスが含まれる。
【００４５】
Ｓ２ステップでは、小便器又は便器からの液滴と空気が、空気入口を介して空気清浄装置へ抽出される。本発明による一実施例で、空気入口を介して液滴と空気を空気清浄装置のハウジングへ抽出するために、空気流の発生能力を有し、小便器と便器へ設置される空気供給ユニットが設けられる。空気入口の位置、形状及び寸法は、十分な空気抽出を達成し、拡散させずに汚染空気を捕捉するための負圧を発生させるように、よく設計されている。
【００４６】
Ｓ３ステップでは、液滴除去室で、空気流からの液滴は、液滴フィルタにより除去される。液滴フィルタは、上で論じた液滴フィルタのいずれによっても構築することができる。
【００４７】
Ｓ４ステップには、脱臭・消毒室で、空気流からの臭い、細菌やウイルスが除去される。
この実施例で、反応性酸化種発生器、ダストフィルタ、及び吸収性フィルタを囲む脱臭・消毒室は、気相汚染物を除去するためにある。ダストフィルタは、ダスト、空中浮遊細菌やウイルスを捕捉するのに役立つ。吸収性フィルタは、それらを吸収性材料のマイクロ／ナノ細孔へ取り込むことで気相汚染物を除去する多孔質筐体と吸収性材料からなる。反応性酸化種発生器は、反応性酸化種を放出し、ダストフィルタ上に捕捉された細菌やウイルスを絶滅させ、吸収性フィルタ上に捕捉されたに臭いを分解して、無害生成物にすることで二次汚染を防止する。
【００４８】
Ｓ５ステップでは、処理された空気は空気出口を介して排出されるか、または更なる空気循環のために小便器又は便器へ再送される。
【００４９】
本発明の他の実施例で、上で論じた他の空気清浄装置は、図７で開示された作動フローチャートを実施するために使用することができる。
【００５０】
本発明による空気の脱臭・消毒の方法と装置を利用することにより、トイレの臭い、細菌やウイルスが二次汚染を起こさずに除去される。
【００５１】
上記記載は、単なる本発明の好適実施例である。それは本発明を限定することを意図するものではない。本発明の精神と範囲から離れることなく行われ、改良、変更及び改善は、本発明の範囲に含まれるべきである。
【符号の説明】
【００５２】
１：ハウジング
２：空気入口
３：空気出口
４：液滴除去室
５：脱臭・消毒室
６：空気供給ユニット
７：水排出口
８、１２：ＲＯＳ発生器
９：液滴フィルタ
１０：ノズル
１１：水槽
１３：ダストフィルタ
１４：吸収性フィルタ
１５：多孔質筐体
１６：吸収性材料
１７：被覆層
１８：枠
【図６】
0005614559.tif 000002
【図１】
0005614559.tif 000003
【図２】
0005614559.tif 000004
【図３】
0005614559.tif 000005
【図４】
0005614559.tif 000006
【図５】
0005614559.tif 000007
【図７】
0005614559.tif 000008